(57)【特許請求の範囲】
【請求項１】
両端が本体上部（１０ａ）の末端部の両側面にそれぞれ取り付けられた支持軸（１０ｃ）を中心軸として該本体上部を本体下部（１０ｂ）に向けて回動させることにより閉じられるステープラー・タイプの、かつ、光ファイバ融着接続作業において被覆（１ｂ）除去後の露出された心線（１ａ）を清掃するための光ファイバ心線清掃器具（１０）であって、
ガーゼ（１１）が巻かれたガーゼ供給ボビン（１２）と、
ボビンモータで回転される、かつ、前記ガーゼを巻き取るためのガーゼ巻取ボビン（１３）と、
前記露出された心線の清掃時に前記ガーゼを介して該露出された心線全体を挟むための第１および第２の心線清掃手段（１４，１５，１８）と、
前記第１および第２の心線清掃手段における前記ガーゼの清掃面が逆になり、かつ、該第１および第２の心線清掃手段における該ガーゼが共に前記露出された心線の末端から先端に向けて搬送されるように、該ガーゼを前記ガーゼ供給ボビンから該第１の心線清掃手段（１５）、該第２の心線清掃手段（１４，１８）および前記ガーゼ巻取ボビンの順に搬送させるための複数個の搬送ローラ（１６，１６ａ，１６ｂ）と、
前記露出された心線の清掃時に前記第２の心線清掃手段を駆動して前記ガーゼを介して該露出された心線全体を挟ませる駆動ボタン（１７）と、
前記光ファイバ心線清掃器具が閉じられているか否かを検出するための上側接点（１９ａ）および下側接点（１９ｂ）と、
該上側接点と該下側接点とが接触したことを検出すると接触検出信号を出力する接触センサ部（３２）と、
該接触センサ部から前記接触検出信号が入力されると前記ボビンモータを間欠的に駆動して前記ガーゼを巻き取らせる制御部（３１）とを具備し、
前記第１の心線清掃手段が、前記本体下部内の先端部に取り付けられた下側スポンジ（１５）を備え、
前記第２の心線清掃手段が、前記本体上部内の先端部に取り付けられた突出装置（１８）と、該突出装置が前記駆動ボタンによって駆動されると該本体上部内部から突出するように該突出装置に取り付けられた上側スポンジ（１４）とを備える、
ことを特徴とする、光ファイバ心線清掃器具。
【請求項２】
前記ガーゼを清掃液に浸すための浸透用タンク（２３）をさらに具備し、
前記複数個の搬送ローラが、前記ガーゼを前記ガーゼ供給ボビンから前記浸透用タンク、前記第１の心線清掃手段、前記第２の心線清掃手段および前記ガーゼ巻取ボビンの順に搬送させる、
ことを特徴とする、請求項１記載の光ファイバ心線清掃器具。
【請求項３】
前記浸透用タンクに前記清掃液を供給するための清掃液供給手段（２１，２２）をさらに具備し、
前記制御部が、前記ガーゼ巻取ボビンが所定の回数だけ駆動されると前記清掃液供給手段から前記浸透用タンクに前記清掃液を供給させる、
ことを特徴とする、請求項２記載の光ファイバ心線清掃器具。
【請求項４】
前記ガーゼ供給ボビンが、前記本体下部内の末端側に取り付けられており、
前記ガーゼ巻取ボビンが、前記本体下部内の前記ガーゼ供給ボビンよりも先端側に取り付けられており、
前記複数個の搬送ローラが、前記ガーゼを前記ガーゼ供給ボビンから前記浸透用タンク、前記下側スポンジの表面上および前記ガーゼ巻取ボビンと該ガーゼ供給ボビンとの間の順に通過させて前記本体上部の先端部に搬送させたのちに搬送方向を逆にして前記上側スポンジの表面上を通過させて該ガーゼ巻取ボビンに搬送するガーゼ搬送路を形成するように該本体上部内および前記本体下部内に取り付けられており、
前記上側接点が、前記本体上部の下面の前記上側スポンジよりも前記ガーゼ巻取ボビン側に取り付けられており、
前記下側接点が、前記本体下部の上面の前記光ファイバ心線清掃器具を閉じたときに前記上側接点と接触する位置に取り付けられている、
ことを特徴とする、請求項２または３記載の光ファイバ心線清掃器具。
【発明の詳細な説明】
【技術分野】
【０００１】
本発明は、光ファイバ心線清掃器具に関し、特に、光ファイバ融着接続作業において被覆除去後の露出された心線（素線）を清掃するのに好適な光ファイバ心線清掃器具に関する。
【背景技術】
【０００２】
従来、たとえば図６に示すような４心の光ファイバテープ心線１（以下、「テープ心線１」と称する。）の融着接続作業を行う際には、作業員は、融着機本体の電源をオンし、接続モードの選択および加熱モードの選択を行い、テープ心線１の被覆１ｂを清掃したのちに補強スリーブを挿入する。その後、作業員は、テープ心線１をファイバホルダー２にセットし、ホットスリッパで被覆１ｂを除去して心線１ａ（素線）を露出させたのち、光ファイバコーティング（プリコート）の残りを除去するために、図６に一点鎖線で示す清掃範囲Ａ（被覆１ｂの先端部および露出させた心線１ａを含む範囲）を清掃している。
なお、以下では、テープ心線１の清掃範囲Ａを清掃する工程を「クリーニング工程」と称する。
【０００３】
クリーニング工程では、作業員は、手でもってガーゼを清掃液（純度９９％以上の無水エタノールなど）に浸したのちに指でもってテープ心線１の清掃範囲Ａを清掃液が付いたガーゼで挟んで数回（たとえば、５回）擦る作業を行っている。
【０００４】
下記の特許文献１には、ストリッピング工程、クリーニング工程およびカッティング工程を処理する機構を小型の携帯用ケース内に集約して設置し、電源や空圧源を使用しないですべて手作業で一括処理が行えるように、光ファイバ心線を把時固定した心線固定ジグを操作ハンドルでＸ方向の各作業位置に移動させる光ファイバ搬送部と、操作ハンドルをＹ方向に移動させることでファイバ心線の被覆材を除去し、ファイバ素線を露出させるストリッピング部と、操作ハンドルをＹ方向に移動させることでファイバ素線を清浄化させるクリーニング部と、操作ハンドルをＸ方向に移動させることでファイバ素線を一定寸法に切断するカッティング部とにより構成した携帯型光ファイバ端末処理機が開示されている。
【先行技術文献】
【特許文献】
【０００５】
【特許文献１】特開平９−２６５１２号公報
【発明の概要】
【発明が解決しようとする課題】
【０００６】
しかしながら、上述した光ファイバ融着接続作業のクリーニング工程では、作業員は、手でもってガーゼを清掃液に浸したのちに指でもってテープ心線１の清掃範囲Ａを清掃液が付いたガーゼで挟みながら数回擦る作業を行って光ファイバコーティングの残りを除去しているため、手間がかかるとともに作業も行い難いという問題があった。
また、作業員は何度もガーゼを取り替える必要があるため、大量のゴミが出るという問題もあった。
【０００７】
上記特許文献１に開示された携帯型光ファイバ端末処理機では、清掃テープ部材を上部爪のテンションローラの位置で交差させて巻き取りボビンで巻き取る構成であるため、このテンションローラの幅を清掃テープ部材の幅の少なくとも２倍以上にする必要があり、装置の小型化ができないという問題がある。
また、上部爪側と固定爪側とで清掃テープ部材の搬送方向が逆であるため、上部爪と固定爪とで把持されたファイバ素線に逆方向の力が働いてファイバ素線が捻じられるという問題がある。
さらに、送り歯車の端面に６個の送液ローラを取り付けることにより、コモンベースに装着固定されたセグメントホロアとの間で挟まれた合成樹脂のパイプ部材を送液ローラの間欠回転でしごいて、清掃液タンクから清掃液を上部爪に定量吐出供給して、清掃テープ部材を湿潤させているため、清掃液が清掃テープ部材に均一に付着するとは限らないという問題や、清掃テープ部材を湿潤させる構成が複雑であるという問題がある。
【０００８】
本発明の目的は、光ファイバ融着接続作業のクリーニング工程を簡単な構成で行うことができるとともに小型化が図れる光ファイバ心線清掃器具を提供することにある。
【課題を解決するための手段】
【０００９】
本発明の光ファイバ心線清掃器具は、両端が本体上部（１０ａ）の末端部の両側面にそれぞれ取り付けられた支持軸（１０ｃ）を中心軸として該本体上部を本体下部（１０ｂ）に向けて回動させることにより閉じられるステープラー・タイプの、かつ、光ファイバ融着接続作業において被覆（１ｂ）除去後の露出された心線（１ａ）を清掃するための光ファイバ心線清掃器具（１０）であって、ガーゼ（１１）が巻かれたガーゼ供給ボビン（１２）と、ボビンモータで回転される、かつ、前記ガーゼを巻き取るためのガーゼ巻取ボビン（１３）と、前記露出された心線の清掃時に前記ガーゼを介して該露出された心線全体を挟むための第１および第２の心線清掃手段（１４，１５，１８）と、前記第１および第２の心線清掃手段における前記ガーゼの清掃面が逆になり、かつ、該第１および第２の心線清掃手段における該ガーゼが共に前記露出された心線の末端から先端に向けて搬送されるように、該ガーゼを前記ガーゼ供給ボビンから該第１の心線清掃手段（１５）、該第２の心線清掃手段（１４，１８）および前記ガーゼ巻取ボビンの順に搬送させるための複数個の搬送ローラ（１６，１６ａ，１６ｂ）と、前記露出された心線の清掃時に前記第２の心線清掃手段を駆動して前記ガーゼを介して該露出された心線全体を挟ませる駆動ボタン（１７）と、前記光ファイバ心線清掃器具が閉じられているか否かを検出するための上側接点（１９ａ）および下側接点（１９ｂ）と、該上側接点と該下側接点とが接触したことを検出すると接触検出信号を出力する接触センサ部（３２）と、該接触センサ部から前記接触検出信号が入力されると前記ボビンモータを間欠的に駆動して前記ガーゼを巻き取らせる制御部（３１）とを具備し、前記第１の心線清掃手段が、前記本体下部内の先端部に取り付けられた下側スポンジ（１５）を備え、前記第２の心線清掃手段が、前記本体上部内の先端部に取り付けられた突出装置（１８）と、該突出装置が前記駆動ボタンによって駆動されると該本体上部内部から突出するように該突出装置に取り付けられた上側スポンジ（１４）とを備えることを特徴とする。
ここで、前記ガーゼを清掃液に浸すための浸透用タンク（２３）をさらに具備し、前記複数個の搬送ローラが、前記ガーゼを前記ガーゼ供給ボビンから前記浸透用タンク、前記第１の心線清掃手段、前記第２の心線清掃手段および前記ガーゼ巻取ボビンの順に搬送させてもよい。
前記浸透用タンクに前記清掃液を供給するための清掃液供給手段（２１，２２）をさらに具備し、前記制御部が、前記ガーゼ巻取ボビンが所定の回数だけ駆動されると前記清掃液供給手段から前記浸透用タンクに前記清掃液を供給させてもよい。
前記ガーゼ供給ボビンが、前記本体下部内の末端側に取り付けられており、前記ガーゼ巻取ボビンが、前記本体下部内の前記ガーゼ供給ボビンよりも先端側に取り付けられており、前記複数個の搬送ローラが、前記ガーゼを前記ガーゼ供給ボビンから前記浸透用タンク、前記下側スポンジの表面上および前記ガーゼ巻取ボビンと該ガーゼ供給ボビンとの間の順に通過させて前記本体上部の先端部に搬送させたのちに搬送方向を逆にして前記上側スポンジの表面上を通過させて該ガーゼ巻取ボビンに搬送するガーゼ搬送路を形成するように該本体上部内および前記本体下部内に取り付けられており、前記上側接点が、前記本体上部の下面の前記上側スポンジよりも前記ガーゼ巻取ボビン側に取り付けられており、
前記下側接点が、前記本体下部の上面の前記光ファイバ心線清掃器具を閉じたときに前記上側接点と接触する位置に取り付けられていてもよい。
【発明の効果】
【００１０】
本発明の光ファイバ心線清掃器具は、以下に示す効果を奏する。
（１）第１および第２の心線清掃手段におけるガーゼの清掃面が逆になり、かつ、該第１および第２の心線清掃手段における該ガーゼが共に前記露出された心線の末端から先端に向けて搬送されるように、ガーゼをガーゼ供給ボビンから浸透用タンク、第１の心線清掃手段、第２の心線清掃手段およびガーゼ巻取ボビンの順に搬送するガーゼ搬送路を形成して、第１および第２の心線清掃手段によってガーゼを介して心線を挟んだのちにガーゼ巻取ボビンを間欠的に駆動してガーゼを巻き取らせる構成としているため、光ファイバ融着接続作業のクリーニング工程を簡単な構成で行うことができるとともに、ガーゼ搬送路の幅をガーゼの幅とほぼ同じにすることができるため、光ファイバ心線清掃器具の小型化が図れる。
（２）第１および第２の心線清掃手段におけるガーゼの搬送方向を同じにすることができるため、心線に同じ向きの力を働かせて心線を清掃することができる。
（３）第１および第２の心線清掃手段の少なくとも一方および制御部などをたとえば乾電池で動作させることができるため、光ファイバ心線清掃器具を携帯して使用することができる。
【図面の簡単な説明】
【００１１】
【図１】本発明の第１の実施例による光ファイバ心線清掃器具１０の内部構成を説明するための図である。
【図２】図１に示した光ファイバ心線清掃器具１０の形状を説明するための図である。
【図３】図１に示した光ファイバ心線清掃器具１０を使用したクリーニング工程について説明するためのフローチャートである。
【図４】本発明の第２の実施例による光ファイバ心線清掃器具５０の内部構成を説明するための図であり、（ａ）は上部カバー５０ａを下から見た図であり、（ｂ）は下部カバー５０ｂを上から見た図である。
【図５】図４に示した光ファイバ心線清掃器具５０を使用したクリーニング工程について説明するためのフローチャートである。
【図６】光ファイバ融着接続作業におけるテープ心線１の清掃範囲Ａを示す図である。
【発明を実施するための形態】
【００１２】
上記の目的を、第１および第２の心線清掃手段におけるガーゼの清掃面が逆になるようにガーゼをガーゼ供給ボビンから浸透用タンク、第１の心線清掃手段、第２の心線清掃手段およびガーゼ巻取ボビンの順に搬送するガーゼ搬送路を形成することにより実現した。
【実施例１】
【００１３】
以下、本発明の光ファイバ心線清掃器具の実施例について図面を参照して説明する。
まず、本発明の第１の実施例による光ファイバ心線清掃器具１０について、図１乃至図３を参照して説明する。
【００１４】
本実施例による光ファイバ心線清掃器具１０は、図２（ａ）、（ｂ）に示すように、ステープラー・タイプのものであり、本体上部１０ａと、本体下部１０ｂと、両端が本体上部１０ａの末端部の両側面にそれぞれ取り付けられた支持軸１０ｃとを具備する。
ここで、支持軸１０ｃは、本体上部１０ａを本体下部１０ｂに対して支持軸１０ｃを中心軸として回動可能とするために、本体下部１ｂの末端部の両側面に形成された貫通孔を貫通している。
また、図示していないが、本体上部１０ａは、一端が本体下部１０ｂの底面に固定された板バネのバネ力によって光ファイバ心線清掃器具１０が開かれる（すなわち、本体上部１０ａの先端部が本体下部１０ｂの先端部から離れる（図２（ａ）の矢印と逆方向に回動する）ようにされている。
【００１５】
また、光ファイバ心線清掃器具１０は、図１に示すように、ガーゼ供給ボビン１２と、ボビンモータ（不図示）で回転されるガーゼ巻取ボビン１３と、上側スポンジ１４と、下側スポンジ１５と、複数個の搬送ローラ１６，１６ａ，１６ｂと、駆動ボタン１７と、突出装置１８と、上側接点１９ａと、下側接点１９ｂと、清掃液モータ２１と、清掃液タンク２２と、浸透用タンク２３と、制御部３１と、接触センサ部３２と、乾電池３３とを具備する。
【００１６】
ここで、ガーゼ供給ボビン１２は、本体下部１０ｂ内の末端側に交換可能に取り付けられている。
ガーゼ供給ボビン１２には、清掃液が付いていないガーゼ１１が巻かれている。
なお、ガーゼ１１の一端はガーゼ供給ボビン１２に固定されており、ガーゼ１１の他端はガーゼ巻取ボビン１３に固定されている。ガーゼ１１の幅はテープ心線１の幅Ｗ（図６参照）以上とされている。
【００１７】
ガーゼ巻取ボビン１３は、ガーゼ１１を巻き取るためのものであり、本体下部１０ｂ内のガーゼ供給ボビン１２よりも先端側かつ上側に取り付けられている。
また、ガーゼ巻取ボビン１３は、制御部３１から入力されるモータ駆動信号に応答して回転する上記のボビンモータの回転軸に交換可能に取り付けられている。
【００１８】
上側スポンジ１４は、本体上部１０ａ内の先端部の下面側に設けられている。
上側スポンジ１４は、突出装置１８に取り付けられており、作業員が駆動ボタン１７を押して突出装置１８を駆動すると、本体上部１０ａの先端部の下面に形成された開口部を通って本体上部１０ａ内部から突出するようにされている。
上側スポンジ１４の幅はガーゼ１１の幅Ｗ以上とされており、上側スポンジ１４の長さはテープ心線１の清掃範囲Ａ（図６参照）の長さ以上とされている。
【００１９】
下側スポンジ１５は、本体下部１０ｂ内の先端部の上面側に取り付けられている。
本体下部１０ｂの上面の下側スポンジ１５の取付位置には開口部が形成されており、作業員が駆動ボタン１７を押して上側スポンジ１４を本体上部１０ａ内部から突出させるとともに光ファイバ心線清掃器具１０を手で握って支持軸１０ｃを中心軸として本体上部１０ａを本体下部１０ｂに向けて回動させて光ファイバ心線清掃器具１０を閉じたときに、テープ心線１の清掃範囲Ａを上側スポンジ１４と下側スポンジ１５とでガーゼ１１を介して挟むことができるようにされている（図２（ｂ）参照）。
【００２０】
搬送ローラ１６，１６ａ，１６ｂは、下側スポンジ１５の表面上に搬送されたガーゼ１１の清掃面（下側スポンジ１５と反対側の面）と上側スポンジ１４の表面上に搬送されたガーゼ１１の清掃面（上側スポンジ１４と反対側の面）とが逆になり、かつ、下側スポンジ１５の表面上に搬送されたガーゼ１１と上側スポンジ１４の表面上に搬送されたガーゼ１１とが共に心線１ａの末端から先端に向けて搬送されるように、ガーゼ１１をガーゼ供給ボビン１２から浸透用タンク２３、下側スポンジ１５の表面上およびガーゼ巻取ボビン１３とガーゼ供給ボビン１２との間の順に通過させて本体上部１０ａの先端部に搬送させたのちに搬送方向を逆にして上側スポンジ１４の表面上を通過させてガーゼ巻取ボビン１３に搬送するガーゼ搬送路を形成する。
搬送ローラ１６，１６ａ，１６ｂの具体的な取付位置は、以下のとおりである。
（１）１個の小径の搬送ローラ１６が、ガーゼ供給ボビン１２から浸透用タンク１６の下方までガーゼ１１を直線的に搬送するように、浸透用タンク１６よりも下側に取り付けられている。
（２）２個の小径の搬送ローラ１６が、浸透用タンク１６から出たガーゼ１１を下側スポンジ１５の表面上に搬送するように、浸透用タンク１６と下側スポンジ１５との間に取り付けられている。
（３）４個の小径の搬送ローラ１６が、下側スポンジ１５の表面上を通過したガーゼ１１をガーゼ巻取ボビン１３とガーゼ供給ボビン１２との間を通過させたのちに上側スポンジ１４よりも上側に搬送するように、ガーゼ巻取ボビン１３の図１図示下側、右斜め下側、右斜め上側および上側スポンジ１４の右斜め上側にそれぞれ取り付けられている。
（４）１個の大径の搬送ローラ１６ａが、上側スポンジ１４よりも上側に搬送されたガーゼ１１の搬送方向を逆にするように、上側スポンジ１４よりも図１図示左側に取り付けられている。
（５）１個の小径の搬送ローラ１６および１個の小径の搬送ローラ１６ｂと１個の小径の搬送ローラ１６および１個の小径の搬送ローラ１６ｂとが、大径の搬送ローラ１６ａによって搬送方向が逆にされたガーゼ１１を上側スポンジ１４の表面上を通過してガーゼ巻取ボビン１３まで搬送するように、上側スポンジ１４の両端側にそれぞれ取り付けられている。なお、２個の小径の搬送ローラ１６ｂは突出装置１８に取り付けられている。
これにより、下側スポンジ１５の表面上に搬送されたガーゼ１１の清掃面をガーゼ１１の表面とすると、上側スポンジ１４の表面上に搬送されたガーゼ１１の清掃面をガーゼ１１の裏面にすることができるため、常にガーゼ１１のきれいな面でテープ心線１の清掃範囲Ａを挟んで清掃することができる。
また、下側スポンジ１５の表面上に搬送されたガーゼ１１と上側スポンジ１４の表面上に搬送されたガーゼ１１との搬送方向を同じにすることができるため、ガーゼ１１によって挟まれた心線１ａには同じ向きの力が働くので、上記の特許文献１記載の携帯型光ファイバ端末処理機のように心線１ａが捻じられることはない。
さらに、上記の特許文献１記載の携帯型光ファイバ端末処理機のようにガーゼ１１を上側スポンジ１４において交差させてガーゼ巻取ボビン１３で巻き取る必要がないため、本体上部１０ａの幅（図１の紙面と垂直方向の長さ）を約半分にすることができるので、装置の小型化が図れる。
【００２１】
駆動ボタン１７は、突出装置１８を駆動するためのものであり、本体上部１０ａの先端部の上面上に取り付けられている。
突出装置１８は、駆動ボタン１７が押されると上側スポンジ１４および２個の搬送ローラ１６ｂを本体上部１０ａ内部から突出させ、次に駆動ボタン１７が押されると上側スポンジ１４および２個の搬送ローラ１６ｂを本体上部１０ａ内部に戻すためのものである。
【００２２】
上側接点１９ａおよび下側接点１９ｂは、光ファイバ心線清掃器具１０が閉じられているか否かを検出するためのものである。そのため、上側接点１９ａは、本体上部１０ａの下面の上側スポンジ１４よりもガーゼ巻取ボビン１３側に取り付けられており、下側接点１９ｂは、本体下部１０ｂの上面の光ファイバ心線清掃器具１０を閉じたときに上側接点１９ａと接触する位置に取り付けられている。
【００２３】
清掃液モータ２１は、清掃液タンク２２に蓄えられている清掃液を、清掃液タンク２２とパイプを介して連通された浸透用タンク２３に供給（補充）するためのものである。
【００２４】
制御部３１は、ボビンモータおよび清掃液モータ２１の駆動制御などをするためのものである。
接触センサ部３２は、上側接点１９ａと下側接点１９ｂとが接触したことを検出するためのものであり、上側接点１９ａと下側接点１９ｂとが接触したことを検出するとハイレベルの出力信号を制御部３１に出力する。
制御部３１は、接触センサ部３２からハイレベルの出力信号が入力されると、ボビンモータを３〜５回ほど間欠的に駆動する。このとき、１回当りのボビンモータの駆動時間は、たとえばテープ心線１の清掃範囲Ａの長さの２〜５倍程度の長さのガーゼ１１をガーゼ巻取ボビン１３で巻き取れる時間とされている。
また、制御部３１は、ボビンモータを駆動するたびに（または、数回ほど駆動するたびに）清掃液モータ２１を駆動して、清掃液タンク２２から浸透用タンク２３に清掃液を供給（補充）する。
【００２５】
乾電池３３は、ボビンモータ、突出装置１８、清掃液モータ２１、制御部３１および接触センサ部３２などを動作させるための電源である。
【００２６】
次に、光ファイバ心線清掃器具１０を使用したクリーニング工程について、図３に示すフローチャートを参照して説明する。
【００２７】
作業員は、駆動ボタン１７を押して突出装置１８を駆動させて、上側スポンジ１４および２個の搬送ローラ１６ｂを本体上部１０ａ内部から突出させる（ステップＳ１１）。
【００２８】
続いて、作業員は、ファイバホルダー２にセットされたテープ心線１を、テープ心線１の清掃範囲Ａが下側スポンジ１５の表面の上方に位置するように光ファイバ心線清掃器具１０に取り付ける（ステップＳ１２）。
なお、テープ心線１の清掃範囲Ａの位置合せを容易にするために、本体下部１０ｂの先端部の上面上にファイバホルダー２の保持部材を設けてもよい。
【００２９】
続いて、作業員は、光ファイバ心線清掃器具１０を手で握って支持軸１０ｃを中心軸として本体上部１０ａを本体下部１０ｂに向けて回動させて、光ファイバ心線清掃器具１０を閉じる（ステップＳ１３）。
これにより、テープ心線１の清掃範囲Ａが上側スポンジ１４と下側スポンジ１５とでガーゼ１１を介して挟まれる。また、光ファイバ心線清掃器具１０が閉じられることにより上側接点１９ａと下側接点１９ｂとが接触するため、接触センサ部３２からハイレベルの出力信号が制御部３１に出力される。
【００３０】
制御部３１は、接触センサ部３２からのハイレベルの出力信号に応答して、ボビンモータにモータ駆動信号を出力し、ボビンモータを３回だけ間欠的に駆動する。
これにより、上側スポンジ１４の表面上のガーゼ１１および下側スポンジ１５の表面上のガーゼ１１が心線１ａの末端から先端に向けてテープ心線１の清掃範囲Ａを３回ほど擦って移動するため、清掃液が付いたガーゼ１１によってテープ心線１の清掃範囲Ａが清掃される。
また、制御部３１は、ボビンモータを駆動するたびに清掃液モータ２１を駆動して、清掃液用タンク２２から浸透用タンク２３に清掃液を供給（補充）する（以上、ステップＳ１４）。
【００３１】
ボビンモータが３回だけ間欠的に駆動されると、作業員は、本体上部１０ａから手を離して光ファイバ心線清掃器具１０を開いたのち、駆動ボタン１７を押して突出装置１８を駆動させて、上側スポンジ１４および２個の搬送ローラ１６ｂを本体上部１０ａ内部に戻す（ステップＳ１５）。
【００３２】
続いて、作業員は、ファイバホルダー２にセットされたテープ心線１を光ファイバ心線清掃器具１０から取り外す（ステップＳ１６）。
以降、他に清掃するテープ心線１がある場合には、ステップＳ１１〜Ｓ１６の動作が繰り返される（ステップＳ１７）。
【実施例２】
【００３３】
次に、本発明の第２の実施例による光ファイバ心線清掃器具５０について、図４および図５を参照して説明する。
【００３４】
本実施例による光ファイバ心線清掃器具５０は、箱タイプのものであり、図４（ａ）に示す上部カバー５０ａと、同図（ｂ）に示す下部カバー５０ｂとを具備する。
ここで、下部カバー５０ｂの深さはテープ心線１の幅Ｗよりも長くされている。
【００３５】
また、光ファイバ心線清掃器具５０は、ガーゼ供給ボビン５２と、ボビンモータ（不図示）で回転されるガーゼ巻取ボビン５３と、左側スポンジ５４と、右側スポンジ５５と、複数個の搬送ローラ５６と、駆動ボタン５７と、左側挟持装置５８ａと、右側挟持装置５８ｂと、ホルダー保持部材５９と、清掃液モータ６１と、清掃液タンク６２と、浸透用タンク６３と、残量センサ６４と、制御部７１と、表示部７２と、乾電池７３と、２個のボビン支持部材８１と、複数個の搬送ローラ支持部材８２とを具備する。
【００３６】
ここで、ガーゼ供給ボビン５２は、下部カバー５０ｂ内の中央部よりもホルダー保持部材５９側から見て左側、中心軸（回転軸）が下部カバー５０の底面と垂直になるように交換可能に取り付けられている。
ガーゼ供給ボビン５２には、清掃液が付いていないガーゼ５１が巻かれている。
なお、ガーゼ５１の一端はガーゼ供給ボビン５２に固定されており、ガーゼ５１の他端はガーゼ巻取ボビン５３に固定されている。ガーゼ５１の幅はテープ心線１の幅Ｗ（図６参照）以上とされている。
【００３７】
ガーゼ巻取ボビン５３は、下部カバー５０ｂ内の中央部よりもホルダー保持部材５９側から見て右側に、中心軸（回転軸）が下部カバー５０の底面と垂直になるように取り付けられている。
また、ガーゼ巻取ボビン５３は、制御部５１から入力されるモータ駆動信号に応答して回転する上記のボビンモータの回転軸に交換可能に取り付けられている。
【００３８】
左側スポンジ５４および右側スポンジ５５は、下部カバー５０ｂ内のガーゼ供給ボビン５２とガーゼ巻取ボビン５３との間に取り付けられている。
左側スポンジ５４および右側スポンジ５５は、左側挟持装置５８ａおよび右側挟持装置５８ｂにそれぞれ取り付けられており、駆動ボタン５７が押されて左側挟持装置５８ａおよび右側挟持装置５８ｂが駆動されると、左側スポンジ５４および右側スポンジ５５の厚さ方向に沿って逆方向に移動するようにされている。
左側スポンジ５４および右側スポンジ５５の幅はガーゼ５１の幅Ｗ以上とされており、左側スポンジ５４および右側スポンジ５５の長さはテープ心線１の清掃範囲Ａの長さ以上とされている。
左側スポンジ５４および右側スポンジ５５の大きさは同じにされている。
これにより、作業員が駆動ボタン５７を押して左側挟持装置５８ａおよび右側挟持装置５８ｂを駆動させて左側スポンジ５４を右側スポンジ５５に向かって移動させるとともに右側スポンジ５５を左側スポンジ５４に向かって移動させると、テープ心線１の清掃範囲Ａを左側スポンジ１５および下側スポンジ１５でガーゼ５１を介して挟むことができるようにされている（図４（ｂ）参照）。
【００３９】
搬送ローラ５６は、左側スポンジ５４の表面上に搬送されたガーゼ５１の清掃面（左側スポンジ５４と反対側の面）と右側スポンジ５５の表面上に搬送されたガーゼ５１の清掃面（右側スポンジ５５と反対側の面）とが逆になり、かつ、左側スポンジ５４の表面上に搬送されたガーゼ５１と右側スポンジ５５の表面上に搬送されたガーゼ５１とが共に心線１ａの末端から先端に向けて搬送されるように、ガーゼ５１をガーゼ供給ボビン５２から浸透用タンク６３および左側スポンジ５４の表面上を順に通過させガーゼ巻取ボビン５３の周りを通過させて右側スポンジ５５の表面上を通過させたのちにガーゼ巻取ボビン５３に搬送するガーゼ搬送路を形成する。
搬送ローラ５６の具体的な取付位置は、以下のとおりである。
（１）２個の搬送ローラ５６が、ガーゼ供給ボビン５２から浸透用タンク６３内を経由したのちにガーゼ供給ボビン５２よりもホルダー保持部材５９側を通って左側スポンジ５４の表面上にガーゼ５１を搬送するように、下部カバー５０ｂ内のガーゼ供給ボビン５２よりもホルダー保持部材５９側に取り付けられている。
（２）５個の搬送ローラ１６が、左側スポンジ５４の表面上から出たガーゼ５１をガーゼ巻取ボビン５３の周りをほぼ３／４周させ右側スポンジ５５の表面上を直線的に通過させたのちにガーゼ巻取ボビン５３に搬送するように、下部カバー５０ｂ内のガーゼ巻取ボビン５３よりもホルダー保持部材５９と反対側に３個およびホルダー保持部材５９側に２個取り付けられている。
これにより、左側スポンジ５４の表面上に搬送されたガーゼ５１の清掃面をガーゼ５１の表面とすると、右側スポンジ５５の表面上に搬送されたガーゼ５１の清掃面をガーゼ５１の裏面にすることができるため、常にガーゼ５１のきれいな面でテープ心線１の清掃範囲Ａを挟んで清掃することができる。
また、左側スポンジ５４の表面上に搬送されたガーゼ５１と右側スポンジ５５の表面上に搬送されたガーゼ５１との搬送方向を同じにすることができるため、ガーゼ５１によって挟まれた心線１ａには同じ向きの力が働くので、上記の特許文献１記載の携帯型光ファイバ端末処理機のように心線１ａが捻じられることはない。
さらに、上記の特許文献１記載の携帯型光ファイバ端末処理機のようにガーゼ５１を右側スポンジ５５において交差させてガーゼ巻取ボビン５３で巻き取る必要がないため、下部カバー５０ｂの深さ（図４の紙面と垂直方向の長さ）を約半分にすることができるので、装置の小型化が図れる。
【００４０】
駆動ボタン５７は、左側挟持装置５８ａおよび右側挟持装置５８ｂを駆動するためのものであり、下部カバー５０ｂのホルダー保持部材５９が取り付けられた側面と反対側の側面の外側に取り付けられている。
【００４１】
左側挟持装置５８ａおよび右側挟持装置５８ｂは、駆動ボタン５７が押されると左側スポンジ５４および右側スポンジ５５をテープ心線１の清掃範囲Ａを挟む方向にそれぞれ移動させ、次に駆動ボタン５７が押されると左側スポンジ５４および右側スポンジ５５をテープ心線１の清掃範囲Ａから離れる方向にそれぞれ移動させるためのものである。
【００４２】
ホルダー保持部材５９は、ファイバホルダー２を挟んで保持することによりテープ心線１の清掃範囲Ａの位置合せを容易にするためのものであり、下部カバー５０ｂの側面の中央部の内側に取り付けられている。
【００４３】
清掃液モータ６１は、清掃液タンク６２に蓄えられている清掃液を、清掃液タンク６２と清掃液モータ６１およびパイプを介して連通された浸透用タンク６３に供給（補充）するためのものである。
【００４４】
残量センサ６４は、清掃液タンク６２に蓄えられている清掃液の残量を検出して、検出した残量を示す残量信号を制御部７１に出力する。
【００４５】
制御部７１は、ボビンモータおよび清掃液モータ６１の駆動制御や表示部７２の表示制御などをするためのものである。
制御部７１は、駆動ボタン５７が押されて左側スポンジ５４および右側スポンジ５５がテープ心線１の清掃範囲Ａを挟む方向に移動させられると、ボビンモータを３〜５回ほど間欠的に駆動する。このとき、１回当りのボビンモータの駆動時間は、たとえばテープ心線１の清掃範囲Ａの長さの２〜５倍程度の長さのガーゼ５１をガーゼ巻取ボビン５３で巻き取れる時間とされている。
また、制御部７１は、ボビンモータを駆動するたびに（または、数回ほど駆動するたびに）清掃液モータ６１を駆動して、清掃液タンク６２から浸透用タンク６３に清掃液を供給（補充）する。
さらに、制御部７１は、残量センサ６４からの残量信号に応答して、残量や残量が少ない旨を示すアラームなどを、下部カバー５０ｂの図４（ｂ）図示下側の側面の外側に取り付けられた表示部７２に表示させる。
【００４６】
乾電池７３は、ボビンモータ、左側挟持装置５８ａ、右側挟持装置５８ｂ、清掃液モータ６１、制御部７１および表示部７２を動作させるための電源である。
【００４７】
２個のボビン支持部材８１は、図４（ａ）に示すように、上部カバー５０ａ内のガーゼ供給ボビン５２およびガーゼ巻取ボビン５３の中心軸がそれぞれ挿入される位置に取り付けられている。
また、複数個の搬送ローラ支持部材８２は、上部カバー５０ａ内の複数個の搬送ローラ５６の一端がそれぞれ挿入される位置に取り付けられている。
これにより、上部カバー５０ａを下部カバー５０ｂに被ると、ガーゼ供給ボビン５２およびガーゼ巻取ボビン５３の中心軸の一端は２個のボビン支持部材８１によって回転可能にそれぞれ支持されるとともに、複数個の搬送ローラ５６の一端は複数個の搬送ローラ支持部材８２によって回転可能にそれぞれ支持される。
【００４８】
次に、光ファイバ心線清掃器具５０を使用したクリーニング工程について、図５に示すフローチャートを参照して説明する。
【００４９】
作業員は、テープ心線１の幅方向が下部カバー５０ｂの底面に対して垂直になるようにファイバホルダー２をホルダー保持部材５９によって保持させることにより、ファイバホルダー２にセットされたテープ心線１を、テープ心線１の清掃範囲Ａが左側スポンジ５４と右側スポンジ５５との間に位置するように光ファイバ心線清掃器具５０に取り付ける（ステップＳ２１）。
【００５０】
続いて、作業員は、上部カバー５０ａを下部カバー５０ｂに被せて固定したのち、駆動ボタン５７を押す（ステップＳ２２）。
これにより、左側挟持装置５８ａおよび右側挟持装置５８ｂが駆動されて、左側スポンジ５４および右側スポンジ５５がテープ心線１の清掃範囲Ａに向かって移動し、テープ心線１の清掃範囲Ａが左側スポンジ５４と右側スポンジ５５とでガーゼ５１を介して挟まれる。
【００５１】
制御部７１は、駆動ボタン５７が押されると、左側スポンジ５４および右側スポンジ５５の移動後にボビンモータを３回だけ間欠的に駆動する。
これにより、左側スポンジ５４の表面上のガーゼ５１および右側スポンジ５４の表面上のガーゼ５１が心線１ａの末端から先端に向けてテープ心線１の清掃範囲Ａを３回ほど擦って移動するため、清掃液が付いたガーゼ５１によってテープ心線１の清掃範囲Ａが清掃される。
また、制御部７１は、ボビンモータを駆動するたびに清掃液モータ６１を駆動して、清掃液用タンク６２から浸透用タンク６３に清掃液を供給（補充）する（以上、ステップＳ２３）。
【００５２】
ボビンモータ３回だけ間欠的に駆動されると、作業員は、駆動ボタン５７を押す（ステップＳ２４）。
これにより、左側挟持装置５８ａおよび右側挟持装置５８ｂが駆動されて、左側スポンジ５４および右側スポンジ５５がテープ心線１の清掃範囲Ａから離れる方向に移動し、ガーゼ５１がテープ心線１の清掃範囲Ａから離れる。
【００５３】
続いて、作業員は、ファイバホルダー２をホルダー保持部材５９から引き抜いて、ファイバホルダー２にセットされたテープ心線１を光ファイバ心線清掃器具５０から取り出す（ステップＳ２５）。
以降、他に清掃するテープ心線１がある場合には、作業員はステップＳ２１〜Ｓ２５の動作を繰り返す（ステップＳ２６）。
【００５４】
以上では、４心の光ファイバテープ心線を例として説明したが、４心以外の光ファイバテープ心線や単心光ファイバについても、ガーゼ１１，５１、ガーゼ供給ボビン１２，５２、ガーゼ巻取ボビン１３，５４、上側スポンジ１４、下側スポンジ１５、左側スポンジ５４、右側スポンジ５５および搬送ローラ１６，１６ａ，１６ｂ，５６の幅を光ファイバテープ心線および単心光ファイバの幅に応じて変えることにより、同様にして本発明による光ファイバ心線清掃器具を構成することができる。
【００５５】
また、清掃液が付いていないガーゼ１１，５１の代わりに、清掃液が付いたガーゼを使用する場合には、清掃液モータ２１，６１と清掃液タンク２２，６２と浸透用タンク２３，６３と残量センサ６４とはなくてもよい。
【００５６】
さらに、図４（ｂ）に示したホルダー保持部材５９は、下部カバー５０ｂの内側に取り付けたが、下部カバー５０ｂの外側に取り付けてもよい。
【符号の説明】
【００５７】
１  テープ心線
１ａ  心線
１ｂ  被覆
２  ファイバホルダー
１０，５０  光ファイバ心線清掃器具
１０ａ  本体上部
１０ｂ  本体下部
１０ｃ  支持軸
１１，５１  ガーゼ
１２，５２  ガーゼ供給ボビン
１３，５３  ガーゼ巻取ボビン
１４  上側スポンジ
１５  下側スポンジ
１６，１６ａ，１６ｂ，５６  搬送ローラ
１７，５７  駆動ボタン
１８  突出装置
１９ａ  上側接点
１９ｂ  下側接点
２１，６１  清掃液モータ
２２，６２  清掃液タンク
２３，６３  浸透用タンク
３１，７１  制御部
３２  接触センサ部
３３，７３  乾電池
５０ａ  上部カバー
５０ｂ  下部カバー
５４  左側スポンジ
５５  右側スポンジ
５８ａ  左側挟持装置
５８ｂ  右側挟持装置
５９  ホルダー保持部材
６４  残量センサ
７２  表示部
８１  ボビン支持部材
８２  搬送ローラ支持部材
Ａ  清掃範囲
Ｗ  幅
Ｓ１１〜Ｓ１７，Ｓ２１〜Ｓ２６  ステップ
【図１】
0005481217.tif 000002
【図２】
0005481217.tif 000003
【図３】
0005481217.tif 000004
【図４】
0005481217.tif 000005
【図５】
0005481217.tif 000006
【図６】
0005481217.tif 000007